(57)【要約】【課題】任意の画像メモリから画像データを読み出して画像表示部に出力する表示制御装置であって，当該表示制御装置が搭載された電子機器の動作状態に応じて電力消費量を一定量省減することのできる表示制御装置を提供すること。【解決手段】複写機の動作状態に応じて（Ｓ１，Ｓ２），通常の表示処理（Ｓ３）と，画像記憶部から読み出す画像データの１画素あたりの階調数を変更する処理（Ｓ２１）と，画像記憶部から読み出す画像データの１画素あたりの階調数及びライン数を変更する処理（Ｓ１１）と，のいずれかが実行される。【選択図】図６
2008065101.tif 000002
【特許請求の範囲】
【請求項１】
入力された画像データに基づいて画像を表示する画像表示部に、任意の画像記憶部から読み出した画像データを出力する表示制御装置であって、
前記画像記憶部から前記画像データを読み出す周期、前記画像記憶部から読み出す前記画像データのライン数、及び前記画像記憶部から読み出す前記画像データの１画素あたりの階調数のいずれか一つ又は複数を、当該表示制御装置が搭載された電子機器の動作状態に応じて変更する読出変更手段を備えてなることを特徴とする表示制御装置。
【請求項２】
前記電子機器が画像形成装置であって，
前記動作状態が，画像形成動作が実行されている状態，ユーザによる所定の操作手段への操作入力が行われている状態，ユーザによる前記所定の操作手段への操作入力後，所定の時間が経過するまでの状態のいずれか一又は複数を含んでなる請求項１に記載の表示制御装置。
【請求項３】
前記読出変更手段が、前記画像表示部の一画面分の前記画像データごとに、前記画像データの奇数ライン及び偶数ラインを交互に省略して読み取るライン省略手段を含んでなる請求項１又は２のいずれかに記載の表示制御装置。
【請求項４】
前記読出変更手段が、前記画像データの読み出し先を、１画素あたりの階調数が異なる前記画像データが記憶された複数の画像記憶部のいずれかに切り替える読出先切替手段を含んでなる請求項１〜３のいずれかに記載の表示制御装置。
【発明の詳細な説明】
【技術分野】
【０００１】
本発明は，入力された画像データに基づいて画像を表示する画像表示部に，任意の画像記憶部から読み出した画像データを出力する表示制御装置に関し，特に，その表示制御装置による消費電力の省減を図る技術に関するものである。
【背景技術】
【０００２】
複写機やプリンタ装置，ファクシミリ装置，複合機などの画像形成装置（電子機器の一例）には，ユーザによる前記画像形成装置への操作入力に関する画像データが予め記憶された画像メモリ（画像記憶部の一例）と，該画像メモリに記憶された画像データに基づいて画像を表示する液晶表示装置（表示装置の一例）とが設けられる。
前記液晶表示装置は，画像を表示する液晶パネルなどを有する液晶表示部（液晶モジュール）と，前記画像メモリから画像データを読み出して前記液晶表示部に出力する表示制御装置とを備えて構成される。前記表示制御装置は，ＭＰＵやＲＡＭ，ＲＯＭなどを有しており，前記ＭＰＵによって前記ＲＯＭに記憶された制御プログラムに従った処理を実行することにより，前記画像メモリから前記液晶表示部への画像データの転送を行う。
一方，例えば特許文献１では，画像メモリ内の画像データに変化が生じた場合にのみ，その変化した部分の画像データを読み出して液晶表示部に出力することにより消費電力を省減することが開示されている。このような構成によれば，画像メモリ内のデータに変化が少ないときには消費電力を削減することができる。
【特許文献１】特開２０００−１８１４１６号公報
【発明の開示】
【発明が解決しようとする課題】
【０００３】
しかしながら，前記特許文献１に開示された技術では，画像メモリの内容の変化量や変化頻度などが多い場合には消費電力が省減されないため，一定量の消費電力の省減を実現すること，即ち前記液晶表示装置の最大消費電力を低下させることはできない。そのため，前記液晶表示装置が搭載された画像形成装置全体の消費電力を算出する際には，該液晶表示装置の最大消費電力をもって算出する必要がある。したがって，例えば前記画像形成装置に設けられた電源装置を，常に前記液晶表示装置に対して該液晶表示装置の最大消費電力を供給可能なように動作させる必要があり非効率である。
そこで，前記液晶表示装置の消費電力を一定量省減することのできる構成として，例えば前記画像メモリから読み出す画像データのライン数を一定数省略することや，１画素あたりの階調数を一定数減少させることなどが考えられるが，このような場合には，前記液晶表示部に表示される画像の画質が低下するため，常時このような制御を行うことは望ましくない。
従って，本発明は上記事情に鑑みてなされたものであり，その目的とするところは，任意の画像メモリから画像データを読み出して画像表示部に出力する表示制御装置であって，当該表示制御装置が搭載された電子機器の動作状態に応じて電力消費量を一定量省減することのできる表示制御装置を提供することにある。
【課題を解決するための手段】
【０００４】
上記目的を達成するために本発明は，入力された画像データに基づいて画像を表示する画像表示部に，任意の画像記憶部から読み出した画像データを出力する表示制御装置に適用されるものであって，前記画像記憶部から前記画像データを読み出す周期，前記画像記憶部から読み出す前記画像データのライン数，及び前記画像記憶部から読み出す前記画像データの１画素あたりの階調数のいずれか一つ又は複数を，当該表示制御装置が搭載された電子機器の動作状態に応じて変更するように構成される。
このように構成された本発明に係る前記表示制御装置では，前記電子機器の動作状態に応じて，前記画像メモリから読み出す画像データのデータ量を一定量減少させることが可能となり，電力消費量を一定量省減することができる。
具体的に，前記電子機器が画像形成装置である場合には，画像形成動作が実行されている状態や，ユーザによる所定の操作手段への操作入力が行われている状態，ユーザによる前記所定の操作手段への操作入力後，所定の時間が経過するまでの状態などに応じて変更することが考えられる。
【０００５】
また，前記画像データのライン数を一部省略して読み取る手法としては，前記画像表示部の一画面分の前記画像データごとに，前記画像データの奇数ライン及び偶数ラインを交互に省略して読み取ることが考えられる。このとき，前記画像メモリから読み出す画像データは，全画像データを読み出す場合に比べて半分になるため，消費電力を半分に省減することができる。しかも，前記画像表示部では偶数ラインと奇数ラインとが交互，即ち通常の倍の間隔で表示されるため濃度は薄くなるが，前記画像表示部に一画面分の前記画像データに基づく画像が表示されているように見せることができる。
また，前記画像データの１画素あたりの階調数を変更するための手法としては，前記画像データの読み出し先を，１画素あたりの階調数が異なる前記画像データが記憶された複数の画像記憶部のいずれかに切り替えることが考えられる。この場合には，１画素あたりの階調数が低い画像記憶部に切り替えることにより，通常よりも１画素あたりの階調数を低く変更することができ，前記表示制御装置によって読み出されるデータ量を一定量減少させることができる。即ち，前記画像データの読み出しに必要な消費電力を一定量省減することができる。
【発明の効果】
【０００６】
本発明によれば，前記電子機器の動作状態に応じて，前記画像メモリから読み出す画像データのデータ量を一定量減少させることが可能となり，電力消費量を一定量省減することができる。例えば，前記電子機器の動作状態が前記画像表示部への表示の必要性が低い状態である場合に，前記画像データのライン数を一部省略して読み取ることや，前記画像データの１画素あたりの階調数を減少させることなどにより，その省略されたライン数分や階調数分のデータ量の読み出しに必要な一定量の消費電力を省減することができる。
【発明を実施するための最良の形態】
【０００７】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る表示制御装置５２が搭載された複写機Ｘの概略構成を示すブロック図，図２は本発明の実施の形態に係る表示制御装置５２によって読み出される画像データの一例を示す図，図３は画像データのＬＵＴデータへの変換テーブルの一例を示す図，図４はＬＵＴデータのＦＲＭへの変換テーブルの一例を示す図，図５は本発明の実施の形態に係る表示制御装置５２によって表示が制御される液晶表示部５１の表示画面の一例を示す図，図６は本発明の実施の形態に係る表示制御装置５２により実行される表示制御処理の手順の一例を説明するためのフローチャート，図７はライン省略処理を説明するためのタイミングチャートである。
【０００８】
まず，図１のブロック図を用いて，本発明の実施の形態に係る表示制御装置５２が搭載された複写機Ｘの概略構成について説明する。なお，前記複写機Ｘは，本発明に係る電子機器の一例に過ぎず，プリンタ装置やファクシミリ装置，スキャナ装置，複合機，その他の電化製品なども本発明に係る電子機器に該当する。
図１に示すように，前記複写機Ｘは，ＣＰＵ及びＲＯＭ，ＲＡＭ等からなり前記ＲＯＭに格納された所定のプログラムに従った処理を実行することにより当該プリンタＸを統括的に制御する制御部１と，キースイッチやタッチパネルなどの操作部２と，原稿台やＡＤＦ（自動原稿搬送装置）にセットされた原稿の画像データを読み取る画像読取部（スキャナ装置など）３と，不図示の給紙カセットから供給された用紙に，前記画像読取部３で読み取られた画像データに基づいて画像を形成する画像形成部４と，前記画像読取部３による画像読取動作や前記画像形成部４による画像形成動作などに関する各種の情報を表示する液晶表示装置５と，前記液晶表示装置５によって表示される画像データを異なる階調数で記憶する２ビット画像メモリ６（画像記憶部の一例）及び４ビット画像メモリ７（画像記憶部の一例）と，を備えて概略構成されている。
【０００９】
前記画像形成部４は，レザースキャニングユニットなどの露光装置，前記露光装置によって露光される感光体ドラム，前記感光体ドラムの表面上に形成された静電潜像をトナーコンテナから供給されるトナーによって現像する現像器，及び前記現像器によって前記感光体ドラムの表面上に形成されたトナー像を用紙に転写する転写装置，該トナーを用紙に定着させる定着装置などを備えて構成されている。
なお，前記複写機Ｘには，その他にも一般的な画像形成装置が備える構成要素が設けられている。例えば，商用交流電源に接続される図外の電源装置などが設けられており，該複写機Ｘでは，前記制御部１によって前記電源装置が制御されることにより該電源装置から電力が供給されることによって前記画像読取部３による画像読取処理や前記画像形成部４による画像形成処理などが実行される。
【００１０】
前記複写機Ｘは，通常の画像形成動作が可能な通常動作モードと，前記電源装置（不図示）から前記画像形成部４の定着装置などへの供給電力を低下させる省エネモードと，前記電源装置（不図示）から前記画像形成部４や前記液晶表示装置５などへの電力供給を遮断するスリープモードと，を有している。前記複写機Ｘでは，前記制御部１によって，予め設定された所定のモード切替条件に基づいてこれらの動作モードが切り替えられる。
例えば，前記通常動作モードにおいて原稿画像データの入力や前記操作部２への操作入力がない状態が一定時間以上継続した場合には，前記省エネモードに切り替えられ，該省エネモードにおいて同様の状態が更に一定時間以上継続した場合には，前記スリープモードに切り替えられる。また，前記省エネモードや前記スリープモードにおいて，原稿画像データの入力や前記操作部２への操作入力があった場合には，前記通常動作モードに切り替えられる。
【００１１】
また，前記複写機Ｘの前記通常動作モードには，更に複数の動作状態が存在する。例えば，ユーザによる前記操作部２への操作入力が行われている動作状態（以下「操作状態」という）や，当該複写機Ｘの電源が立ち上げられた後，又はユーザによる前記操作部２への操作入力が行われた後，所定の時間が経過することにより前記省エネモードに移行するまでの動作状態（以下「待機状態」という），前記画像形成部４により画像形成動作が実行されている動作状態（以下「印字動作状態」という）などである。
なお，本実施の形態では，前記複写機Ｘが，前記通常動作モードにおける前記操作状態，前記待機状態及び前記印字動作状態と，前記省エネモードと，前記スリープモードとの５種類の動作状態を有する場合を例に挙げて説明するが，これらの動作状態や動作モードの名前や内容，数は一例に過ぎない。
本発明の実施の形態に係る前記複写機Ｘでは，前記液晶表示装置５に設けられた後述の表示制御装置５２によって後述の表示制御処理（図６のフローチャート参照）が実行されることにより，前記複写機Ｘの動作状態に応じて該液晶表示装置５における消費電力を一定量省減することが可能である。
【００１２】
前記液晶表示装置５は，入力された画像データに基づいて画像を表示する液晶パネル及び内部メモリなどを有する液晶表示部（画像表示部の一例）５１と，前記２ビット画像メモリ６又は前記４ビット画像メモリ７から画像データを読み出して前記液晶表示部５１に出力する表示制御装置５２とを備えて構成されている。
ここに，図２（ａ）は前記２ビット画像メモリ６の記憶領域，図２（ｂ）は前記４ビット画像メモリ７の記憶領域を示している。図２（ａ）に示すように，前記２ビット画像メモリ６には，１画素あたり２ビット４階調のグレースケールで表現された２ビット画像データ（A0，B0〜An，Bn）が記憶され，前記４ビットメモリ７には，１画素あたり４ビット１６階調のグレースケールで表現された４ビット画像データ（A0，B0，C0，D0，〜An，Bn，Cn，Dn）が記憶される。
ここで，前記２ビット画像メモリ６及び前記４ビット画像メモリ７は，画像記憶部の一例に過ぎず，例えば同一の記憶手段に前記２ビット画像データ及び前記４ビット画像データが記憶されている場合には，その画像データ各々を記憶する記憶領域が画像記憶部に相当する。
【００１３】
前記表示制御装置５２は，ＭＰＵやＲＡＭ，ＲＯＭなどを有しており，前記ＭＰＵが前記ＲＯＭに記憶された制御プログラムに従った処理を実行することにより，前記２ビット画像メモリ６又は前記４ビット画像メモリ７のいずれか一方から前記液晶表示部５１への画像データの転送を行う。なお，前記２ビット画像メモリ６及び前記４ビット画像メモリ７の切替は，内部スイッチの切り替え，或いは読み出しアドレスの変更などによって実現される。
前記ＲＯＭには，前記２ビット画像データとＬＵＴデータとが対応付けられたＬＵＴ変換テーブルＴ１，前記４ビット画像データとＬＵＴデータとが対応付けられたＬＵＴ変換テーブルＴ２と，前記ＬＵＴデータとＦＲＭ（Ｆｒａｍｅ  Ｒａｔｅ  Ｍｏｄｕｌａｔｉｏｎ）とが対応付けられたＦＲＭ変換テーブＴ３とが記憶されている。ここに，図３（ａ）は前記ＬＵＴ変換テーブルＴ１，図３（ｂ）は前記ＬＵＴ変換テーブルＴ２，図４は前記ＦＲＭ変換テーブルＴ３を示している。
なお，前記ＦＲＭは，前記液晶表示部５１の液晶パネルの１画素ごとの点灯タイミング示すものであって，図４に示すように１５回の点灯制御を１フレームとしている。なお“○”は点灯，“×”は消灯を示している。前記液晶表示部５１では，前記ＦＲＭの１６種類の点灯パターンによって１６階調のグレースケール表示が実現される。
【００１４】
ここで，前記表示制御装置５２によって実行される基本的な表示制御について説明する。ここに，図５は前記液晶表示部５１の表示画面の一例を示している。なお，本実施の形態では，図５に示すように，前記液晶表示部５１として，１画面が横６４０画素（Ｐ0〜Ｐ639）×縦４８０ラインのモノクロＬＣＤモジュールを用いた場合を例に挙げて説明する。
まず，前記２ビット画像メモリ６から前記２ビット画像データを読み出して出力する場合の表示制御について説明する。
前記表示制御装置５２は，前記２ビット画像メモリ６から前記２ビット画像データ（図２（ａ）参照）をアドレス０から順に８ビットずつ読み出し，その２ビット画像データを前記ＬＵＴ変換テーブルＴ１（図３（ａ）参照）に基づいてＬＵＴデータに変換する。そして，前記表示制御装置５２は，その変換後のＬＵＴデータを前記ＦＲＭテーブルＴ３に基づいてＦＲＭに変換し，該ＦＲＭに基づいて前記液晶表示部５１の液晶パネルの画素Ｐ0〜Ｐ639ごとの点灯を制御することにより，前記２ビット画像データに基づく画像を該液晶表示部５１に表示出力させる。
例えば，前記表示制御装置５２では，前記画素Ｐ0の画像データ（A0，B0）として“０１”が読み出されると，該画像データ“０１”がＬＵＴデータ“５”に変換され，該ＬＵＴデータ“５”に対応するＦＲＭ“○××○××○××○××○××”が抽出される。そして，前記表示制御装置５２によって，前記画素Ｐ0の点灯が，その１フレーム分のＦＲＭ“○××○××○××○××○××”のタイミングで制御される。
このとき，前記２ビット画像メモリ６から前記２ビット画像データを読み出して前記液晶表示部５１に表示させる場合に，前記表示制御装置５２によって読み出される１画面あたりのデータ量は，２ビット×６４０画素×４８０ラインとなる。一方，後述する前記４ビット画像メモリ７から前記４ビット画像データを読み出して出力する場合には，その二倍のデータ量の伝送が行われることになる。
【００１５】
次に，前記４ビット画像メモリ７から前記４ビット画像データを読み出して出力する場合の表示制御について説明する。
この場合，前記表示制御装置５２は，前記４ビット画像メモリ７から前記４ビット画像データ（図２（ｂ）参照）をアドレス０から順に８ビットずつ読み出し，その４ビット画像データを前記ＬＵＴ変換テーブルＴ２（図３（ｂ）参照）に基づいてＬＵＴデータに変換する。そして，前記表示制御装置５２は，その変換後のＬＵＴデータを前記ＦＲＭテーブルＴ３に基づいてＦＲＭに変換し，該ＦＲＭに基づいて前記液晶表示部５１の液晶パネルの画素Ｐ0〜Ｐ639ごとの点灯を制御することにより，前記４ビット画像データに基づく画像を該液晶表示部５１に表示出力させる。
例えば，前記表示制御装置５２では，前記画素Ｐ0の画像データ（A0，B0，Ｃ0，Ｄ0）として“０００１”が読み出されると，該画像データ“０００１”がＬＵＴデータ“１”に変換され，該ＬＵＴデータ“１”に対応するＦＲＭ“○××××××××××××××”が抽出される。そして，前記表示制御装置５２によって，前記画素Ｐ0の点灯がそのＦＲＭ“○××××××××××××××”のタイミングで制御される。
このとき，前記表示制御装置５２によって読み出される画像データにおける１画素あたりのデータ量は４ビットであるため，前記表示制御装置５２によって読み出される１画面あたりのデータ量は，４ビット×６４０画素×４８０ラインとなり，前記２ビット画像メモリ７を用いる場合に比べて倍になる。したがって，前記２ビット画像メモリ６に比べて１画素あたりの階調数が多いため画質は良いが，前記表示制御装置５２により消費される電力量は倍になる。一方，前記２ビット画像メモリ６を用いた場合には，前記４ビット画像メモリ７を用いた場合に比べて１画素あたりの階調数が少ないため画質は悪いが，前記表示制御装置５２により消費される電力量は半分になる。
【００１６】
以下，図６のフローチャートに従って，前記表示制御装置５２の前記ＭＰＵによって実行される表示制御処理の手順の一例について説明する。なお，図中のＳ１，Ｓ２，…は処理手順（ステップ）の番号を表している。また，当該表示制御処理は，前記複写機Ｘの電源が立ち上げられた場合に前記ＭＰＵによって実行され，処理はステップＳ１から開始される。
まず，ステップＳ１及びＳ２では，前記表示制御装置５２のＭＰＵによって，前記複写機Ｘの動作状態が判定され，その動作状態に応じて処理が分岐される。例えば，前記表示制御装置５２のＭＰＵは，前記複写機Ｘの動作状態を示すフラグを参照することや，前記制御部１からの通知などによって該複写機Ｘの動作状態を判定する。
【００１７】
［ステップＳ１］
具体的に，前記ステップＳ１では，前記表示制御装置５２のＭＰＵによって，前記複写機Ｘが省エネモードであるか否かが判定される。ここで，前記複写機Ｘの動作モードが，省エネモードであると判定された場合（Ｓ１のＹｅｓ側）には，処理はステップＳ１１へ移行し，省エネモードではないと判定された場合，即ち通常動作モードである場合（Ｓ１のＮｏ側）には，処理はステップＳ２へ移行する。なお，前記ステップＳ１１の処理については後段で説明する。
【００１８】
［ステップＳ２］
ステップＳ２では，前記表示制御装置５２のＭＰＵによって，前記複写機Ｘが，前記通常動作モードにおける前記印字動作状態であるか否かが判定される。
ここで，前記複写機Ｘが前記印字動作状態であると判定された場合（Ｓ２のＹｅｓ側）には，処理はステップＳ２１へ移行し，前記印字動作状態ではないと判定された場合，即ち前記操作状態又は前記待機状態のいずれかである場合（Ｓ２のＮｏ側）には，処理はステップＳ３へ移行する。
【００１９】
そして，ステップＳ３，Ｓ２１，Ｓ１１の各々では，前記表示制御装置５２のＭＰＵによって異なる表示処理が実行される。
［ステップＳ３］
まず，前記複写機Ｘの動作状態が，前記通常動作モードにおける前記操作状態又は前記待機状態である場合に実行されるステップＳ３の処理について説明する。
前記複写機Ｘの動作状態が，ユーザが前記操作部２への操作入力を行っている前記操作状態や，ユーザにより前記操作部２への操作入力が行われる可能性が高い前記待機状態である場合には，前記液晶表示部５１によって表示される画像の画質は高い方が望ましい。
そこで，ステップＳ３では，前記表示制御装置５２のＭＰＵによって，画像データの読み出し先が，前記４ビット画像メモリ７に切り替えられる。なお，前記４ビット画像メモリ７に切り替えられた状態であればその状態が継続される。そして，前記表示制御装置５２のＭＰＵによって，前記４ビット画像メモリ７に記憶された前記４ビット画像データ（図２（ｂ）参照）を読み出し，前記液晶表示部５１へ出力するための基本的な表示制御が実行される。
前述したように，この場合には，前記液晶表示部５１では，前記４ビット画像データに基づいて１画素あたり１６階調（図３（ｂ）参照）の画質の高い画像が表示されるため，ユーザはその見やすい画像を見ながら前記操作部２への操作を行うことができる。
【００２０】
［ステップＳ２１］
次に，前記複写機Ｘの動作状態が，前記通常動作モードにおける前記印字動作状態である場合に実行されるステップＳ２１の処理について説明する。
前記複写機Ｘの動作状態が，前記画像形成部４によって画像形成動作が行われている前記印字動作状態である場合には，ユーザが前記液晶表示部５１の表示を見る必要性が低く，また，見るとしてもその画像の画質は低くて差し支えない。
そこで，ステップＳ２１では，前記表示制御装置５２のＭＰＵによって，画像データの読み出し先が，前記２ビット画像メモリ６に切り替えられる。なお，前記２ビット画像メモリ６に切り替えられた状態であればその状態が継続される。そして，前記表示制御装置５２のＭＰＵによって，前記２ビット画像メモリ６に記憶された前記２ビット画像データ（図２（ａ）参照）を読み出し，前記液晶表示部５１へ出力するための基本的な表示制御が実行される。
前述したように，この場合には，前記液晶表示部５１では，前記２ビット画像データに基づいて１画素あたり４階調（図３（ａ）参照）の画質の低い画像が表示されるが，前記４ビット画像データを読み出して出力する場合に比べて前記表示制御装置５２により読み出される画像データのデータ量が半分に減少する。このように，前記表示制御装置５２による前記画像データの読み出し先を，１画素あたりの階調数が異なる前記２ビット画像メモリ６及び前記４ビット画像メモリ７のいずれかに切り替えるための処理を実行するときの前記ＭＰＵが読出先切替手段に相当する。
したがって，前記表示制御装置５２による消費電力が，その減少したデータ量に応じて一定量省減され，ひいては前記液晶表示装置５や前記複写機Ｘの最大消費電力を一定量省減することが可能となる。したがって，例えば前記複写機Ｘに設けられた電源装置（不図示）などの効率的な動作が可能となる。
【００２１】
［ステップＳ１１］
一方，前記複写機Ｘの動作状態が，前記省エネモードである場合に実行されるステップＳ１１の処理について説明する。
前記複写機Ｘの動作状態が，前記省エネモードである場合には，ユーザが前記液晶表示部５１の表示を見る必要性が特に低く，前記印字動作状態である場合よりも更に画質が低くても差し支えない。
そこで，ステップＳ１１では，前記ステップＳ２１と同様に，前記表示制御装置５２のＭＰＵによって，前記２ビット画像メモリ６に記憶された前記２ビット画像データ（図２（ａ）参照）を読み出し，前記液晶表示部５１へ出力するための基本的な表示制御が実行されるが，そのときに前記２ビット画像メモリ６から読み出される前記２ビット画像データの一部が省略される。
具体的には，前記表示制御装置５２のＭＰＵは，前記２ビット画像メモリ６に記憶された前記２ビット画像データのライン数を一部省略して読み出す後述のライン省略処理を実行することにより，該２ビット画像メモリ６との間のデータの伝送量を一定量減少させることが考えられる。ここに，かかるライン省略処理を実行するときの前記表示制御装置５２のＭＰＵがライン省略手段に相当する。以下，詳細に説明する。
【００２２】
ここに，図７は前記表示制御装置５２のＭＰＵによって実行される前記ライン省略処理を説明するためのタイミングチャートである。なお，図中の（ａ）は前記ＦＲＭの１フレーム（１５回）ごとにアサートされる（立ち上げられる）フレーム信号，（ｂ）は１ラインごとにアサートされるライン信号，（ｃ）は画像データの読み取り時にアサートされるデータ読取信号，（ｄ）は２ビット画像メモリ６に記憶された２ビット画像データのライン毎（ＬＩＮＥ１〜４８０）の画像データ信号，（ｅ）は前記表示制御装置５２のＭＰＵから画像データ“０”が出力されるときにアサートされる０出力信号，（ｆ）は前記液晶表示部５１に出力される表示出力信号を示している。
【００２３】
まず，１フレーム目における前記表示制御装置５２のＭＰＵによる表示制御について説明する。
前記表示制御装置５２のＭＰＵによって，前記フレーム信号（図７（ａ）参照）及び前記ライン信号（図７（ｂ）参照）がアサートされた後，前記データ読取信号（図７（ｃ）参照）がアサートされることにより，前記２ビット画像データの１ライン目の画像データ（図７（ｄ）参照，ＬＩＮＥ１）が順に読み出されて前記液晶表示部５１に出力される（図７（ｆ）参照，ＬＩＮＥ１）。
【００２４】
そして，前記２ビット画像データの１ライン目の画像データの出力が終了すると，次の前記ライン信号（図７（ｂ）参照）がアサートされるが，前記データ読取信号（図７（ｃ）参照）はアサートされない。そのため，前記表示制御装置５２では，前記２ビット画像メモリ６から前記２ビット画像データ（図７（ｄ）参照）が読み出されない。
但し，このとき前記表示制御装置５２のＭＰＵにより前記０出力信号がアサートされる（図７（ｅ）参照）。これによって，前記表示制御装置５２のＭＰＵでは，前記２ビット画像データの２ライン目の画像データとして“０” が前記液晶表示部５１に出力される（図７（ｆ）参照）。したがって，前記液晶表示部５１では，前記表示制御装置５２のＭＰＵから入力された画像データ“０”に基づいて２ライン目の全ての画素が消灯される。
【００２５】
その後，次の前記ライン信号（図７（ｂ）参照）がアサートされ，前記データ読取信号（図７（ｃ）参照）がアサートされることにより，前記２ビット画像データの３ライン目の画像データ（図７（ｄ）参照，ＬＩＮＥ３）が順に読み出されて前記液晶表示部５１に出力される（図７（ｆ）参照，ＬＩＮＥ３）。なお，このとき前記表示制御装置５２では，前記ＭＰＵによって，前記２ビット画像メモリ６に記憶された前記２ビット画像データの３ライン目に対応するアドレスにアクセスするように処理される。
そして，このように奇数ラインだけの画像データを読み出し，偶数ラインについては“０”を出力する処理が，前記２ビット画像データの全て（４８０ライン）について実行されることにより，前記液晶表示部５１の一画面分の画像表示が行われる。
【００２６】
次に，２フレーム目における前記表示制御装置５２のＭＰＵによる表示制御について説明する。
前記表示制御装置５２のＭＰＵによって，前記フレーム信号（図７（ａ）参照）及び前記ライン信号（図７（ｂ）参照）がアサートされるが，前記データ読取信号（図７（ｃ）参照）はアサートされない。そのため，前記２ビット画像メモリ６からは前記２ビット画像データ（図７（ｄ）参照）が読み出されない。
但し，このとき前記表示制御装置５２のＭＰＵでは，前記０出力信号がアサートされる（図７（ｅ）参照）。これにより，前記表示制御装置５２のＭＰＵでは，前記２ビット画像データの１ライン目の画像データとして“０” が前記液晶表示部５１に出力される（図７（ｆ）参照）。したがって，前記液晶表示部５１では，前記表示制御装置５２のＭＰＵから入力された画像データ“０”に基づいて１ライン目の全ての画素が消灯される。
【００２７】
そして，次の前記ライン信号（図７（ｂ）参照）がアサートされ，前記データ読取信号（図７（ｃ）参照）がアサートされることにより，前記２ビット画像データの２ライン目の画像データ（図７（ｄ）参照，ＬＩＮＥ２）が順に読み出されて前記液晶表示部５１に出力される（図７（ｆ）参照，ＬＩＮＥ２）。
【００２８】
その後，次の前記ライン信号（図７（ｂ）参照）がアサートされるが，前記データ読取信号（図７（ｃ）参照）はアサートされない。そのため，前記２ビット画像メモリ６からは前記２ビット画像データ（図７（ｄ）参照）が読み出されない。
但し，このとき前記表示制御装置５２のＭＰＵでは，前記０出力信号がアサートされる（図７（ｅ）参照）。これにより，前記表示制御装置５２のＭＰＵでは，前記２ビット画像データの３ライン目の画像データとして“０” が前記液晶表示部５１に出力される（図７（ｆ）参照）。したがって，前記液晶表示部５１では，前記表示制御装置５２のＭＰＵから入力された画像データ“０”に基づいて３ライン目の全ての画素が消灯される。
そして，このように偶数ラインだけの画像データを読み出し，奇数ラインについては“０”を出力する処理が，前記２ビット画像データの全て（４８０ライン）について実行されることにより，前記液晶表示部５１の一画面分の画像表示が行われる。
また，前記表示制御装置５２では，３フレーム目以降も同様に，奇数フレームは偶数ラインを省略し，偶数フレームは奇数ラインを省略して画像データを読み出すように処理される。
このように，前記ステップＳ１１では，前記ステップＳ２１のように前記２ビット画像データの全てのデータが読み出される場合に比べて，前記表示制御装置５２によって読み出されるデータ量は半分になり，該表示制御装置５２による消費電力を，さらに一定量省減することができる。しかも，前記液晶表示部５１の一画面分の画像データ（１フレーム）ごとに，奇数ラインと偶数ラインとが交互に省略されるため濃度は薄くなるが，ユーザは画面全体を把握することが可能である。
【００２９】
以上説明したように，前記複写機Ｘでは，前記表示制御装置５２によって読み出される画像データのデータ量を，該複写機Ｘの動作状態（省エネモード，印字動作状態，操作状態，待機状態）に応じて変更することが可能である。ここに，かかる処理を実行するときの前記表示制御装置５２のＭＰＵが読出変更手段に相当する。
したがって，前記したように，前記複写機Ｘの動作状態が前記省エネモードである場合や前記印字動作状態である場合など，前記液晶表示部５１の表示画像の画質が低くてもよい場合に，前記表示制御装置５２により読み出される画像データのデータ量を一定量減少させることによって，消費電力を一定量省減することが可能である。
【００３０】
なお，本実施の形態では，前記画像データのライン数を省略したり，前記画像データの１画素あたりの階調数を減少させることにより，前記表示制御装置５２により読み取られる画像データのデータ量を一定量減少させることを省電力手法の一例として説明したが，例えば，前記表示制御装置５２による前記画像データの読み出し周期を変更することも他の実施例として考えられる。
具体的には，前記表示制御装置５２により１画面分の画像データが読み出された後，次の１画面分の画像データが読み出されるまでの間隔を，前記複写機Ｘの動作状態に応じて変更することが考えられる。この場合，前記表示制御装置５２により一回で読み出される画像データのデータ量は変わらないが，所定の時間の間に読み出されるデータ量を一定量減少させることが可能となり，消費電力を一定量省減することができる。
また，前記複写機Ｘの動作状態各々と前記省電力手法各々との組み合わせは，本実施の形態で説明したものに限られない。例えば，前記ステップＳ２１において，階調数の切り替えをライン数の省略に換えててもよい。
【図面の簡単な説明】
【００３１】
【図１】本発明の実施の形態に係る表示制御装置が搭載された複写機の概略構成を示すブロック図。
【図２】本発明の実施の形態に係る表示制御装置によって読み出される画像データの一例を示す図。
【図３】画像データのＬＵＴデータへの変換テーブルの一例を示す図。
【図４】ＬＵＴデータのＦＲＭへの変換テーブルの一例を示す図。
【図５】本発明の実施の形態に係る表示制御装置によって表示が制御される液晶表示部の表示画面の一例を示す図。
【図６】本発明の実施の形態に係る表示制御装置により実行される表示制御処理の手順の一例を説明するためのフローチャート。
【図７】ライン省略処理を説明するためのタイミングチャート。
【符号の説明】
【００３２】
１…制御部
２…操作部
３…画像読取部
４…画像形成部
５…液晶表示装置
５１…液晶表示部（画像表示部の一例）
５２…表示制御装置
６…２ビット画像メモリ（画像記憶部の一例）
７…４ビット画像メモリ（画像記憶部の一例）
Ｓ１，Ｓ２，…，…処理手順（ステップ）番号
Ｘ…複写機（電子機器の一例）
【図１】
2008065101.tif 000003
【図２】
2008065101.tif 000004
【図３】
2008065101.tif 000005
【図４】
2008065101.tif 000006
【図５】
2008065101.tif 000007
【図６】
2008065101.tif 000008
【図７】
2008065101.tif 000009